(57)【要約】【課題】本発明の目的は、分割ブラシの接着剤による絶縁層の厚さが減少若しくは消失した場合であっても、内部導通を確実に防止することができる絶縁性の高い絶縁層を有するブラシ及びこれを備えたモータを提供することにある。【解決手段】複数の本体導電部片１１Ａと、少なくとも一つの絶縁層１１Ｂを有するブラシに関する。  絶縁層１１Ｂは、複数の本体導電部片１１Ａ，１１Ａ間に挟持されるように積層されており、この絶縁層１１Ｂは、誘電性粉体１１ｄを混入した液状接着剤１１ｃからなり、複数の本体導電部片１１Ａ，１１Ａは絶縁層１１Ｂにより接合されており、この絶縁層１１Ｂは、ブラシ１１が整流子４と対向して設置された際に、整流子４との摺接面Ｔにおいて、隣接する整流子片４ａ，４ａ間に形成されたスリットに沿って配設されるよう積層されている。【選択図】図２
2013090506.tif 000002
【特許請求の範囲】
【請求項１】
複数の本体導電部片と、少なくとも一つの絶縁層を有するブラシであって、
前記絶縁層は、複数の前記本体導電部片間に挟持されるように積層されており、
前記絶縁層は、誘電性粉体を混入した液状接着剤からなり、複数の前記本体導電部片は前記絶縁層により接合されており、
前記絶縁層は、前記ブラシが整流子と対向して設置された際に、前記整流子との摺接面において、前記整流子を構成している隣接する整流子片間に形成されたスリットに沿って配設されるよう積層されていることを特徴とするブラシ。
【請求項２】
複数の本体導電部片と、少なくとも一つの絶縁層を有するブラシであって、
前記絶縁層は、複数の前記本体導電部片間に挟持されるように積層されており、
前記絶縁層は、誘電性粉体を混入した絶縁性粉体からなり、複数の前記本体導電部片は前記絶縁層により接合されており、
前記絶縁層は、前記ブラシが整流子と対向して設置された際に、前記整流子との摺接面において、前記整流子を構成している隣接する整流子片間に形成されたスリットに沿って配設されるよう積層されていることを特徴とするブラシ。
【請求項３】
前記誘電性粉体は、酸化タンタル、チタン酸バリウム、酸化チタン、酸化アルミニウム、ニオブ酸マグネシウム酸バリウム、から選択される少なくとも一つの物質よりなることを特徴とする請求項１又は請求項２に記載のブラシ。
【請求項４】
前記絶縁層には、導電性油が混入されていることを特徴とする請求項１乃至請求項３いずれか１項に記載のブラシ。
【請求項５】
前記絶縁層を構成する前記誘電性粉体は、予め前記導電性油を含ませたものであることを特徴とする請求項４に記載のブラシ。
【請求項６】
整流子と、前記請求項１乃至請求項５いずれか１項に記載のブラシと、を少なくとも備えたモータ。
【発明の詳細な説明】
【技術分野】
【０００１】
本発明は、ブラシ及びこれを備えたモータに係り、特に、整流時において内部導通を確実に防止することが可能な絶縁性の高いブラシ及びこれを備えたモータに関するものである。
【背景技術】
【０００２】
一般に直流モータなどでは、ブラシを用いて整流子への整流を行っている。
ブラシは通常ブラシ装置に収められており、このブラシが厚み方向に沿って付勢されて整流子と当接することによって整流が実行される。
ところで、従来のブラシ付き直流モータにおいては、電磁ノイズを低くする技術の開発が望まれている。
特に、自動車用直流モータにおいては、車載電子機器の増加に伴い、様々な周波数帯にて電磁ノイズを低く抑制する必要が生じている。
従来は、コンデンサやコイル単体、或いはそれらの組合せで、所謂フィルタ効果で電磁ノイズを抑制していた。
しかし、フィルタは、特定の周波数帯では効果を発揮するものの、広範囲の周波数帯を一組のフィルタで抑制することは困難であった。
【０００３】
そこで、電磁ノイズの発生源であるモータを見直す必要が生じた。
電磁ノイズの一種である放射ノイズは、モータのブラシと整流子との間で整流中に発生する火花と密接な関係を有しており、このため放射ノイズを抑制するためには、ブラシと整流子との間で発生する火花を抑制することが必要である。
このブラシと整流子との間で発生する火花は、整流中に回路を遮断するときに生じるリアクタンス電圧が高い場合に多く発生する。
この火花を抑制することは、整流を改善することにつながるとともにブラシ寿命を延ばすことにもつながるため、多くの火花抑制技術が提案されている（例えば、特許文献１及び特許文献２参照）。
【０００４】
特許文献１には、分割刷子に関する技術が開示されている。
特許文献１に記載の分割刷子は、複数個の刷子片からなり、それらの腹合する面には、電気絶縁層が設けられている。
つまり、特許文献１に記載の分割刷子は、複数の刷子片の間に電気絶縁層が挟持された状態に形成されている。
このように構成することにより、腹合面間の絶縁抵抗が大きくさらに刷子片相互が密着することがなく、整流特性が向上する等の効果が奏される。
また、特許文献２にもまた、電刷子に関する技術が開示されている。
特許文献２に記載の電刷子は、整流子と接触する摺動面が低抵抗層及び高抵抗層両者で構成されるよう、低抵抗層片及び高抵抗層片を積層して両者を接着剤で接着することにより形成される。
【先行技術文献】
【特許文献】
【０００５】
【特許文献１】実開昭６０−０５５２７２号公報
【特許文献２】特開２００７−０４９８２７号公報
【発明の概要】
【発明が解決しようとする課題】
【０００６】
このように、特許文献１及び特許文献２のような所謂「分割ブラシ」を使用することにより、ブラシと整流子との間で発生する火花を抑制し、整流中に回路を遮断するときに生じるリアクタンス電圧を調整する工夫がなされている。
しかし、特許文献１及び特許文献２に記載の技術においては、確かに一定の効果はあるが、火花発生を抑制するレベルが十分ではない。
【０００７】
つまり、複数のブラシ片を接合する際には、樹脂溶液（所謂「接着剤」：例えば、フェノール系樹脂、アルキド系樹脂等の樹脂）を使用するのであるが、接着剤硬化の際、接着剤に用いられる液状の溶剤が減少若しくは無くなることで、その箇所に空隙が生じることとなる。
そして、その空隙のため絶縁性が減少してしまうという問題があった。
また、接着剤硬化の際、収縮が生じることもあり、この収縮のために複数のブラシ片が引き合ってしまい、高い絶縁性を保つことが困難となるという問題が生じていた。
【０００８】
本発明の目的は、上記各問題点を解決することにあり、分割ブラシの接着剤による絶縁層の厚さが減少若しくは消失した場合であっても、内部導通を確実に防止することができる絶縁性の高い絶縁層を有するブラシ及びこれを備えたモータを提供することにある。
また、本発明の他の目的は、ブラシの構成に改良を加えることにより良好な整流を実現することが可能なブラシを提供するとともに、電磁ノイズを抑制し、搭載性の良好なモータを提供することにある。
【課題を解決するための手段】
【０００９】
上記課題は、本発明に係るブラシによれば、複数の本体導電部片と、少なくとも一つの絶縁層を有するブラシであって、前記絶縁層は、複数の前記本体導電部片間に挟持されるように積層されており、前記絶縁層は、誘電性粉体を混入した液状接着剤からなり、複数の前記本体導電部片は前記絶縁層により接合されており、前記絶縁層は、前記ブラシが整流子と対向して設置された際に、前記整流子との摺接面において、前記整流子を構成している隣接する整流子片間に形成されたスリットに沿って配設されるよう積層されていることにより解決される。
【００１０】
このように構成されていることにより、整流中において、ブラシが、隣接する整流子片間に跨る際、整流電流は、絶縁層を通過することができないため、抵抗整流が有効に実行される。
その結果、電磁ノイズの一種である放射ノイズが有効に抑制されるため、電界強度が低くなる。
よって、従来のように、フィルタを使用する必要がなく、部品点数を少なくすることが可能となり、コンパクトに収めることができるため、搭載性が向上する。
また、絶縁層には、誘電性粉体が混在しているため、液状接着剤が元々有するコンデンサとしての性質が更に強化され、このコンデンサとしての性質によって、更に急激な電流変化が抑制される。
このため、火花の発生が有効に抑制されて、電磁ノイズを低く抑えることができる。
【００１１】
また、上記課題は、本発明に係るブラシによれば、複数の本体導電部片と、少なくとも一つの絶縁層を有するブラシであって、前記絶縁層は、複数の前記本体導電部片間に挟持されるように積層されており、前記絶縁層は、誘電性粉体を混入した絶縁性粉体からなり、複数の前記本体導電部片は前記絶縁層により接合されており、前記絶縁層は、前記ブラシが整流子と対向して設置された際に、前記整流子との摺接面において、前記整流子を構成している隣接する整流子片間に形成されたスリットに沿って配設されるよう積層されていることにより解決される。
【００１２】
このように構成されていることにより、上記同様、抵抗整流が有効に実行されるとともに、有効に急激な電流変化を抑制して火花の発生及び電磁ノイズを抑えることができる。
【００１３】
このとき、具体的には、前記誘電性粉体は、酸化タンタル、チタン酸バリウム、酸化チタン、酸化アルミニウム、ニオブ酸マグネシウム酸バリウム、から選択される少なくとも一つの物質よりなると好ましい。
【００１４】
また、本発明に係るブラシにおいては、前記絶縁層には、導電性油が混入されていることが好ましい。
このように構成されていると、絶縁層に混在する導電性油により、上記コンデンサとしての性質が更に強化されることとなる。
よって、より効果的に、火花の発生及び電磁ノイズを抑えることが可能となる。
このとき、前記絶縁層を構成する前記誘電性粉体は、予め前記導電性油を含ませたものであると、上記コンデンサとしての性質がより一層強化され好適である。
【００１５】
更に、本発明に係るモータは、整流子と、請求項１乃至請求項４いずれか一項に記載のブラシ装置と、を少なくとも備える。
【発明の効果】
【００１６】
本発明に係るブラシは、整流時であっても内部導通を確実に防止する絶縁性の高い絶縁層を備える。
つまり、整流中において、ブラシが、隣接する整流子片間に跨る際、整流電流は、絶縁層を通過することができないため、抵抗整流が有効に実行される。
その結果、電磁ノイズの一種である放射ノイズが有効に抑制されるため、電界強度が低くなる。
また、本発明に係るブラシの絶縁層には、誘電性粉体が混在しているため、絶縁層におけるコンデンサとしての性質が強化され、このコンデンサとしての性質によって、急激な電流変化が抑制される。
このため、火花の発生が有効に抑制されて、電磁ノイズを低く抑えることができる。
また、導電性油を絶縁層に混在させれば、上記コンデンサとしての性質をより強化することができ、上記効果をより一層有効に奏することとなる。
更に、本発明に係るブラシは、簡単な構成で安価に製造することができる。
これらの結果、本発明に係るブラシは、良好な整流を実現することができ、このため電磁ノイズを有効に抑制することが可能となり、特に、自動車用直流モータとして使用する場合等には、車載電磁機器の機能を妨害することなく、搭載性が良好となる。
【図面の簡単な説明】
【００１７】
【図１】本発明の一実施形態に係るモータの概略構成を示す断面図である。
【図２】本発明の一実施形態に係るブラシ本体を示す斜視図である。
【図３】本発明の一実施形態（実施例１）に係るブラシ本体の素材構成を示す模式図である。
【図４】本発明の一実施形態（実施例２）に係るブラシ本体の素材構成を示す模式図である。
【図５】本発明の一実施形態（実施例３）に係るブラシ本体の素材構成を示す模式図である。
【図６】本発明の一実施形態に係るブラシ本体を使用した際の電界強度と従来のブラシを使用した際の電界強度の比を示す棒グラフである。
【発明を実施するための形態】
【００１８】
以下、本発明の実施形態を図面に基づいて説明する。
なお、以下に説明する構成は本発明を限定するものでなく、本発明の趣旨の範囲内で種々改変することができるものである。
本実施形態は、整流時であっても内部導通を確実に防止する絶縁性の高い絶縁層を有するブラシ及びこれを備えたモータに関するものである。
【００１９】
図１乃至図６は、本発明の一実施形態を示すものであり、図１はモータの概略構成を示す断面図、図２はブラシ本体を示す斜視図、図３乃至図５は各実施例１乃至３に係るブラシ本体の素材構成を示す模式図、図６はブラシ本体を使用した際の電界強度と従来のブラシを使用した際の電界強度を示す棒グラフである。
【００２０】
図１により、本実施形態に係るモータＭの構成の一例について説明する。
本実施形態に係るモータＭは、ブラシ装置Ｓを除いて、公知のブラシ付き直流モータの構成を採用したものである。
本実施形態に係るモータＭは、図１に示すように、出力軸となるシャフト１と、コイル２が形成された鉄心３と、整流子４と、界磁機構としての磁石５と、ブラシ装置Ｓと、これらを内部に収納するハウジング６とを主たる構成要素として構成されている。
【００２１】
シャフト１は、軸受７を介して回転自在にハウジング６に支持されている。
なお、本実施形態においてはモータＭとして一方向回転モータを例示しているため、シャフト１は一方向に回転する構成となる。
シャフト１には鉄心３が固定されており、その周囲には鉄心３の外周を囲むように磁石５が配置されている。
また、シャフト１には整流子４もまた固定されている。
整流子４は、シャフト１と一体的に一方向に回転する円筒状の部材であり、その回転方向に沿って一定間隔毎に配置された複数の整流子片４ａを備える。
この整流子４は、回転に伴って、ブラシ装置Ｓのブラシ本体１１と当接する整流子片４ａが切り替わることにより、コイル２を流れる電流の向きを切り替える。
【００２２】
また、ブラシ装置Ｓは、整流子４を通じてコイル２に電流を流すものであり、ブラシ本体１１と、収納ボックス１２と、付勢手段としての付勢バネ１３と、図示しない給電用のリード線から給電されるピグテール１４とを主たる構成要件として構成されている。
【００２３】
本実施形態に係るブラシ本体１１は、主成分として銅粉１１ａを含有した黒鉛（ブラシ粉１１ｂ）から構成された略直方体形状の部材である。
このブラシ本体１１の構成は、本発明の主要構成であるため、後に詳述する。
ブラシ本体１１は、摺接面Ｔ側の端部を突出させた状態で、その他部分が収納ボックス１２に収納されており、同じく収納ボックス１２内に収納された付勢バネ１３によって、整流子４側へ向けて付勢される。
【００２４】
このように、付勢バネ１３が付加する付勢力によって、ブラシ本体１１は、その厚み方向（整流子４の径方向に沿う方向）の前端に位置する摺接面Ｔにて回転状態の整流子４と当接することとなる。
換言すると、整流子４は、その外周面においてブラシ本体１１の前端面（摺接面Ｔ）に接しながら同面上を摺動することとなる。
【００２５】
この結果、ブラシ本体１１は、摺接面Ｔが上記の厚み方向（整流子４の径方向に沿う方向）に沿って後退するように磨耗することになる。
すなわち、ブラシ本体１１は、未消費の状態からモータＭの利用時間の経過に伴って徐々に厚み方向に磨耗し、ブラシ本体１１として適当に機能することができなくなるまで消費される。
【００２６】
なお、本実施形態において、ブラシ本体１１が消費され始めてから消費され終わるまでの期間（つまり、ブラシ本体１１の寿命）は、モータＭが使用され始めた時点から、摺接面Ｔが所定位置（例えば、ピグテール１４の接続位置から幾分手前の位置）まで後退した時点までの期間である。
【００２７】
図２にブラシ本体１１の構成を示す。
本実施形態に係るブラシ本体１１は、２個の本体導電部片１１Ａと、これらに挟持される絶縁層１１Ｂを有して、略直方体形状に形成されている。
これら２個の本体導電部片１１Ａと絶縁層１１Ｂは、本体導電部片１１Ａ→絶縁層１１Ｂ→本体導電部片１１Ａの順に整流子４回転方向に沿って積層されている。
【００２８】
つまり、絶縁層１１Ｂは、ブラシ本体１１が整流子４と対向して設置された際に、整流子４との摺接面Ｔにおいて、整流子片４ａ，４ａ間に形成されるスリットに沿って配設される。
このように構成されているため、整流中において、ブラシ本体１１が隣接する整流子片４ａ，４ａ間に跨る際、整流電流は、絶縁層１１Ｂを通過することができず、有効に抵抗整流が実行されることとなる。
【００２９】
なお、本実施形態においては、絶縁層１１Ｂの幅（整流子４回転方向の距離）は、ブラシ本体１１の幅（整流子４回転方向の距離）に対して０．３％〜１５％となるように構成されている。
【００３０】
なお、本実施形態においては、２個の本体導電部片１１Ａを同素材のものとして構成しているが、これに限られるものではない。
例えば、絶縁層１１Ｂを挟持する２個の本体導電部片１１Ａは、抵抗値が異なる素材（高抵抗値ブラシ片と低抵抗値ブラシ片）で構成されていてもよい。
【００３１】
（実施例１）
図３に、ブラシ本体１１の素材構成の模式図を示す。
なお、本図は、ブラシ本体１１の素材構成を説明するための模式図であり、各成分の形状やサイズ等は特に化学的に正確なものではない。
本実施形態に係る本体導電部片１１Ａは、黒鉛１１ｂを主成分とし、銅粉１１ａが混合されてなるブラシ粉から構成される。つまり、通常のカーボンブラシを構成する素材が採用されている。
なお、機能向上のために、添加剤等を混合してもよい。
【００３２】
本実施形態に係る絶縁層１１Ｂは、所謂「接着剤」として使用される接着剤１１ｃを主成分とし、誘電性粉体１１ｄが混合されている。
接着剤としては、液状の合成樹脂が使用されている。
本実施形態においては、接着剤１１ｃとして、エポキシ樹脂が使用されている。
しかし、これに限られるものではなく、本発明の趣旨を逸脱しない範囲で、接着剤としての機能を果たす樹脂であればどのようなものでもよく、例えば、フェノール系樹脂、アルキド系樹脂等の樹脂が使用されていてもよい。
【００３３】
誘電性粉体１１ｄは、絶縁層１１Ｂの中に絶縁層１１Ｂの重量に対して一定量混合されている。
誘電性粉体１１ｄとしては、酸化タンタル、チタン酸バリウム、酸化チタン、酸化アルミニウム、ニオブ酸マグネシウム酸バリウム等が、単独若しくは二種以上混合されて使用される。
なお、誘電性粉体１１ｄは、誘電性の物質であれば、本発明の趣旨を逸脱しない範囲で、どのような物質が使用されていてもよい。
【００３４】
本実施例に係るブラシ本体１１において、接着剤１１ｃは、元々、コンデンサとしての性質を有するものである。
本実施例においては、このコンデンサとしての性質を有する接着剤１１ｃに誘電性粉体１１ｄを混入させているため、誘電性粉体１１ｄは電荷を蓄え、よって、コンデンサとしての性質が更に強化されることとなる。
このため、絶縁層１１Ｂは、このコンデンサ的性質により、急激な電流変化を更に抑制し、火花の発生を防止して電磁ノイズを低く抑えることが可能となる。
【００３５】
（実施例２）
図４に、絶縁層１１Ｂの構成を変更した実施例の模式図を示す。
なお、本実施例に係るブラシ本体１１は、上記実施例と同様に、２個の本体導電部片１１Ａと、これらに挟持される絶縁層１１Ｂを有して、略直方体形状に形成されているが、本体導電部片１１Ａの構成は上記と同様であるため説明を省略し、上記実施例と異なる絶縁層１１Ｂの構成についてのみ詳細に説明する。
【００３６】
本実施例に係る本体導電部片１１Ａは上記実施例と同様に、黒鉛１１ｂを主成分とし、銅粉１１ａが混合されてなるブラシ粉から構成される。
そして、本実施例においては、絶縁層１１Ｂは、誘電性粉体１１ｄと、絶縁性粉体１１ｅからなる。
このように構成されているため、絶縁層１１Ｂの幅（整流子４回転方向の距離）が小さい場合や、仮に絶縁層の厚さが減少若しくは消失しても、絶縁性粉体１１ｅが存在するため、絶縁性が確実に保たれる。
つまり、２個の本体導電部片１１Ａ，１１Ａ間の距離が近づいても、絶縁性粉体１１ｅが存在するため、絶縁性が確実に保たれることとなる。
【００３７】
（実施例３）
図５に、絶縁層１１Ｂの構成を変更した実施例の模式図を示す。
なお、本実施例に係るブラシ本体１１は、上記実施例と同様に、２個の本体導電部片１１Ａと、これらに挟持される絶縁層１１Ｂを有して、略直方体形状に形成されているが、本体導電部片１１Ａの構成は上記と同様であるため説明を省略し、上記実施例と異なる絶縁層１１Ｂの構成についてのみ詳細に説明する。
【００３８】
本実施例に係る本体導電部片１１Ａは上記実施例と同様に、黒鉛１１ｂを主成分とし、銅粉１１ａが混合されてなるブラシ粉から構成される。
そして、本実施例においては、絶縁層１１Ｂは、誘電性粉体１１ｄと、絶縁性粉体１１ｅと、導電性油１１ｆから構成されている。
つまり、本実施例においては、絶縁層１１Ｂは、絶縁性粉体１１ｅと導電性油１１ｆを含んだ誘電性粉体１１ｄで構成されている。
このように、本実施形態においては、導電性油１１ｆを含有したことにより、コンデンサとしての性質がより強化され、電磁ノイズを低く抑制することができる。
また、簡易な構造で安価にブラシ本体１１を製造することができる。
【００３９】
（実施例３の具体例）
絶縁層１１Ｂの好適な構成例、つまり、導電性油１１ｆ、誘電性粉体１１ｄ、絶縁性粉体１１ｅの好適な適用例を示す。
本例では、上記実施例３において、導電性油１１ｆを予め誘電性粉体１１ｄに含ませておき、この導電性油１１ｆを予め含ませた誘電性粉体１１ｄを絶縁性粉体１１ｅと混在させることで絶縁層１１Ｂが形成される。
このように絶縁層１１Ｂを形成することで、コンデンサとして性質がより一層強化されることとなる。
【００４０】
図６は、本実施形態に係るブラシ本体１１を使用してモータＭを稼動した際のＵＨＦ帯における電磁ノイズを、従来のブラシ本体を使用した場合と比較したグラフである。
このように、本実施形態に係るブラシ本体１１を使用すると、従来のブラシ本体を使用した場合に比して、電磁ノイズが低く抑制されている。
つまり、本実施形態に係るブラシ本体１１を使用することにより、モータの電磁ノイズを抑制することが可能となることが示された。
【００４１】
なお、上記本実施例各例においては、絶縁層１１Ｂが１箇所形成されたブラシ本体１１を説明したが、これに限られるものではなく、本願発明の趣旨を逸脱しない範囲であれば、何個形成されていてもよい。
また、本実施例各例においては、ブラシ本体１１の形状を略直方体形状としたが、これに限られるものではなく、例えば、略円筒形状のように、本願発明の趣旨を逸脱しない範囲であれば、どのような形状であってもよい。
更に、本実施例各例においては、ブラシ本体１１の整流子４接触面を平面としているが、これに限られるものではなく、例えば、傾斜面、湾曲面等、本願発明の趣旨を逸脱しない範囲であれば、どのような形態のものであってもよい。
【００４２】
以上のように、本実施例各例に係るブラシ本体１１によれば、本体導電部１１Ａ，１１Ａ間には（ピグテール１４を除いて）導通がない。
このため、本実施例各例に係るブラシ本体１１を使用すると、整流中において、ブラシ本体１１が隣接する整流子片４ａ，４ａ間に跨る際、整流電流は、絶縁層１１Ｂを通過することができないため、抵抗整流が有効に実行される。
よって、リアクタンス電圧が低くなり、急激な電流変化の発生を抑制することができる。
このため、火花の発生を有効に抑制することができる。
そして、これらの結果、電磁ノイズの一種である放射ノイズが有効に抑制されるため、電界強度が低くなる。
よって、上記本実施例各例に係るブラシ本体１１は、このブラシ本体１１単体で上記効果を奏するため、従来のように、フィルタを使用する必要がなく、部品点数を少なくすることが可能となり、コンパクトに収めることができるため、搭載性が向上する。
更に、本実施形態に係るブラシ本体１１は、電磁ノイズを抑制することが可能であるが、簡易な構造であり安価に製造できるため、コスト面等においても非常に有効である。
【符号の説明】
【００４３】
１‥シャフト、２‥コイル、３‥鉄心、４‥整流子、４ａ‥整流子片、
５‥磁石、６‥ハウジング、７‥軸受、
１１‥ブラシ本体（ブラシ）、１１Ａ‥本体導電部片、１１Ｂ‥絶縁層、
１１ａ‥銅粉、１１ｂ‥黒鉛、１１ｃ‥接着剤、１１ｄ‥誘電性粉体、
１１ｅ‥絶縁性粉体、１１ｆ‥導電性油、
１２‥収納ボックス、
１３‥付勢バネ、１４‥ピグテール、
Ｍ‥モータ、Ｓ‥ブラシ装置、Ｔ‥摺接面
【図１】
2013090506.tif 000003
【図２】
2013090506.tif 000004
【図３】
2013090506.tif 000005
【図４】
2013090506.tif 000006
【図５】
2013090506.tif 000007
【図６】
2013090506.tif 000008